(57)【特許請求の範囲】
【請求項１】
インタビュー支援システムの操作状態を記録、表示する記録表示システムにおいて、
入力装置と、表示制御装置と、表示装置とを有し、
上記表示制御装置は、画像データ記録制御部と、画像表示制御部と、記録部とを有し、
上記画像データ記録制御部は、
上記インタビュー支援システムにおいて入力操作が行われる毎の上記インタビュー支援システムの画面画像データを入力毎画像データとして取得する画像データ取得部と、
各上記入力毎画像データに画像特定符号を付与し、上記画像特定符号に関連付けて上記入力毎画像データを上記記録部に記録する符号付与部と、
上記画像表示制御部は、
出力指示画像データを保持する出力指示画像データ保持部と、
上記出力指示画像データによる出力指示画像を用いて指定された上記画像特定符号に応じた上記入力毎画像データを検索する画像データ検索部と、
上記画像データ検索部によって検索された上記入力毎画像データによる入力毎画像を上記表示装置に表示する表示装置制御部とを有し、
上記出力指示画像が表示される出力指示画像表示領域に、バーと、上記入力装置操作によって上記バー上を移動するスライダと、上記バー近傍に設けられた目盛とが表示され、
上記画像データ取得部が、上記入力毎画像データを取得した時点から次の上記入力毎画像データを取得した時点までの入力間隔時間を計測して、上記入力間隔時間を記録し、上記表示装置制御部が上記目盛の間隔を上記入力間隔時間に比例した間隔にする
ことを特徴とする記録表示システム。
【請求項２】
上記画像データ記録制御部が、上記入力間隔時間を計測して、上記入力間隔時間を記録し、上記画像表示制御部が、上記入力毎画像の表示が終了してから次の上記入力毎画像の表示が開始されるまでの画像間隔時間を、上記入力間隔時間に比例した時間とすることを特徴とする請求項１に記載の記録表示システム。
【発明の詳細な説明】
【技術分野】
【０００１】
本発明は施設計画を予定する顧客等をインタビュー対象者とするインタビューに使用するインタビュー支援システムに適用される記録表示システムに関するものである。
【背景技術】
【０００２】
施設計画を予定する顧客をインタビュー対象者とするインタビューにおいては、顧客の要望を把握するために、インタビュー支援システムを使用して、顧客に内装材の色等を選択させ、その顧客の要望の情報をコンピュータに入力して、顧客の要望の情報に応じた住宅の内部の画像をコンピュータにより作成し、その画像を表示装置に表示している。
このように、顧客の要望の情報に応じた住宅の内部の画像を表示したときには、具体的な対象物をインタビュー対象者とファシリティマネジャーとで相互に確認することができ、顧客の潜在的なイメージを顕在化させることができるから、施設計画を予定する顧客をインタビュー対象者とするインタビューにおいて、ファシリティマネジャーはインタビュー対象者のニーズを引き出すことができる。
【先行技術文献】
【特許文献】
【０００３】
【特許文献１】特開２００２−７３７２６号公報
【発明の概要】
【発明が解決しようとする課題】
【０００４】
このようなインタビュー支援システムを使用したインタビューの結果に基づいて、建築設計を行う場合には、顧客がインタビュー支援システムをどのような順番で操作したか、インタビュー支援システムの操作においてどのような試行錯誤があったかなどを確認して、インタビューにおいて顧客が着眼点や重点をおいたポイント、試行錯誤の意味等を探求する必要がある。このためには、顧客がインタビュー支援システムを操作している状態を記録し、表示することが考えられ、この方式にはいくつか考えられる。
【０００５】
まず、インタビュー支援システムを操作している状態を表示する動画像を録画し、その動画像をそのまま再生する方式が考えられる。この場合、表示内容が臨場感に溢れるものとなるが、インタビュー支援システムの操作者の操作間違いなどの余計な動作も表示される。また、インタビューを行った部屋や液晶表示画面の反射など、支援システムの操作以外の内容も表示されてしまう。また、インタビュー支援システムのマウスポインタの表示の大きさが小さくなるから、マウスポインタの動きを確認することが困難である。また、インタビュー支援システムを操作している状態をぶれずに撮影するためには、インタビューの現場でのセッティングに手間が掛かる。また、インタビュー支援システムの操作者が選択する内容について迷った場合であれば、試行錯誤の過程を確認することができ、試行錯誤の意味等を探求することができるが、操作者が操作自体に迷った場合（操作迷い）と選択する内容について試行錯誤をする場合（試行錯誤）とを区別することは困難である。
【０００６】
ここで、操作迷いとは、インタビュー支援システムの使用中に実行したい操作を操作者が実行するまでの迷いである。この操作迷いの例としては、実行したい操作に対し、インタビュー支援システム内のどこで達成できるかの迷い、実行したい操作に対し、どの機能で達成できるかの迷いがある。インタビュー支援システム内のどこで達成できるかの迷いは、具体的には、メニュー構成や選択ウィンドウ内のどこに何があったか覚えきれず、何度か開いたりすることで、実行したい操作がどこで実行できるかを繰り返す様子である。このような操作迷いは、習熟操作（説明後述）でのインタビュー支援システムの全体像を把握するための操作が不十分な場合、インタビュー支援システムのメニュー構成や分類が明確でない場合、メニュー数や分類が膨大な場合などに起きてしまう。また、どの機能で達成できるかの迷いは、具体的には、機能のどこを操作すれば目的の操作が達成できるか迷う様子である。このような操作迷いは、習熟操作でのインタビュー支援システムの機能を把握するための操作が不十分な場合、インタビュー支援システムの機能の分類や変更可能な箇所が膨大な場合、機能の実行が完成するまでのインタビュー支援システムの階層が深すぎる場合などに起きてしまう。
【０００７】
これに対して、試行錯誤とは、インタビュー支援システムを使用しながら、完成形に一番近づくための試行錯誤である。試行錯誤の例としては、たとえば操作を実行しながら、全体を確認する様子がある。具体的には、色を変更させる等の操作をしながら、自分の思い描くイメージや表現に最も近い完成形に近づけるための変更を繰り返す操作や、配置モード（説明後述）やパースモード（説明後述）の切替や、全体表示や拡大、縮小などの視点の変更等を実行しながら、全体を確認して操作を進める様子である。
【０００８】
このため、インタビュー支援システムを操作している状態の全てを克明に記録することが考えられるが、この場合には記録容量を極めて大きくする必要がある。また、インタビュー支援システムの操作者には、通常インタビュー支援システムに不慣れな者が想定され、インタビュー支援システムについて習熟操作や操作迷いなどの操作がなされた場合には、顧客が着眼点や重点をおいたポイント等を探求することが困難となる。
【０００９】
ここで、習熟操作とは、インタビュー支援システムを実際に使用する前に、インタビュー支援システムの全体像や機能を把握するための操作である。インタビュー支援システムの全体像を把握するための操作は、具体的には、各パーツを格納する一覧表示であるメニュー構成や選択ウィンドウを試しに開く等、どこに何の機能があるのかを把握するための操作である。ここで、選択ウィンドウの例としては、赤、青、黄等の色がパレット状に並んでおり、色を選択することでその色に変更可能な選択ウィンドウがある。また、インタビュー支援システムの機能を把握するための操作は、具体的には、メニュー内のたとえば色を選択する選択ウィンドウから試しに選択し、色のパレット状の一覧を確認することにより、その種類やバリエーションを確認し把握する操作や、どのような操作を行えば色のパレット状の一覧の中から色を変更できるかを把握するための操作、たとえばマウスのカーソルを選択したい色の上にのせてクリックする等の操作である。
【００１０】
つぎに、操作者が動作したタイミングごとに動画像を記録し、所定の動作と次の動作との間の時間を１０分の１に圧縮して記録し、あるいは所定の動作と次の動作との間の時間をたとえば０．５秒に固定して記録することが考えられる。この場合、記録容量を小さくすることができるが、やはり操作者が操作自体に迷った場合（操作迷い）と選択する内容について試行錯誤をする場合（試行錯誤）とを区別することは困難である。また、操作者がインタビュー支援システムに不慣れな者であって、実際に操作する前に操作者がどこに何があるのか把握し、操作内容を学習するとき（習熟操作）には、その学習風景も記録されるから、最初から動画像を再生すると、最初の習熟操作の状況から再生されてしまい、試行錯誤の記録を思い出すことができず、貴重なヒアリングの時間に不要な時間が割かれてしまう問題や、試行錯誤の過程以外に焦点が当たってしまい、意識が散ってしまう問題がある。
【００１１】
さらに、操作者が動作したタイミング毎にではなく、操作者による入力毎に画像データを記録すること、すなわち入力毎画像データを記録することが考えられる。この場合、操作迷いなどの余計な動作が表示されることがない。しかし、入力毎画像データを記録した順番に入力毎画像が表示されるから、所望の入力毎画像をすぐに表示させることができない。このため、インタビューにおいて顧客が着眼点や重点をおいたポイント、試行錯誤の意味等を探求することが難しい。
本発明は上述の課題を解決するためになされたもので、インタビューにおいて顧客が着眼点や重点をおいたポイント、試行錯誤の意味等を探求することが容易である記録表示システムを提供することを目的とする。
【課題を解決するための手段】
【００１２】
この目的を達成するため、発明の実施態様は、インタビュー支援システムの操作状態を記録、表示する記録表示システムにおいて、入力装置と、表示制御装置と、表示装置とを有し、上記表示制御装置は、画像データ記録制御部と、画像表示制御部と、記録部とを有し、上記画像データ記録制御部は、上記インタビュー支援システムにおいて入力操作が行われる毎の上記インタビュー支援システムの画面画像データを入力毎画像データとして取得する画像データ取得部と、各上記入力毎画像データに画像特定符号を付与し、上記画像特定符号に関連付けて上記入力毎画像データを上記記録部に記録する符号付与部と、上記画像表示制御部は、出力指示画像データを保持する出力指示画像データ保持部と、上記出力指示画像データによる出力指示画像を用いて指定された上記画像特定符号に応じた上記入力毎画像データを検索する画像データ検索部と、上記画像データ検索部によって検索された上記入力毎画像データによる入力毎画像を上記表示装置に表示する表示装置制御部とを有し、上記出力指示画像が表示される出力指示画像表示領域に、バーと、上記入力装置操作によって上記バー上を移動するスライダと、上記バー近傍に設けられた目盛とが表示され、上記画像データ取得部が、上記入力毎画像データを取得した時点から次の上記入力毎画像データを取得した時点までの入力間隔時間を計測して、上記入力間隔時間を記録し、上記表示装置制御部が上記目盛の間隔を上記入力間隔時間に比例した間隔にすることを特徴とする。
【００１３】
また、発明の実施態様は、上記画像データ記録制御部が、上記入力毎画像データを取得した時点から次の上記入力毎画像データを取得した時点までの入力間隔時間を計測して、上記入力間隔時間を記録し、上記画像表示制御部が、上記入力毎画像の表示が終了してから次の上記入力毎画像の表示が開始されるまでの画像間隔時間を、上記入力間隔時間に比例した時間とすることを特徴とする。
【００１４】
また、発明の実施態様は、上記画像データ記録制御部は、上記インタビュー支援システムにおいて入力操作が行われる毎の画面画像データを入力毎画像データとして取得する画像データ取得部と、各上記入力毎画像データに画像特定符号を付与し、上記画像特定符号に関連付けて入力毎画像データを上記記録部に記録させる符号付与部とを有することを特徴とする。
【００１５】
また、発明の実施態様は、上記画像表示制御部は、出力指示画像データを保持する出力指示画像データ保持部と、上記出力指示画像データによる出力指示画像によって指定された上記画像特定符号に応じた入力毎画像データを検索する画像データ検索部と、上記画像データ検索部によって検索された入力毎画像データによる入力毎画像を上記表示装置に表示する表示装置制御部とを有することを特徴とする。
【００１６】
また、発明の実施態様は、上記出力指示画像が表示される出力指示画像表示領域に、バーと、上記入力装置操作によって上記バー上を移動するスライダと、上記バーの近傍に設けられた目盛とが表示され、上記画像データ取得部が、上記入力毎画像データを取得した時点から次の上記入力毎画像データを取得した時点までの入力間隔時間を計測して、上記入力間隔時間を記録し、上記表示装置制御部が上記目盛の間隔を上記入力間隔時間に比例した間隔にすることを特徴とする。
【００１７】
また、発明の実施態様は、上記表示装置制御部が、上記スライダの近傍に、上記スライダの位置に応じた数字を表示することを特徴とする。
また、発明の実施態様は、上記表示装置の表示画面に、再生速度を選択するための再生速度選択ボタンを設けたことを特徴とする。
【発明の効果】
【００１８】
本発明に係る記録表示システムにおいては、インタビュー支援システムにおいて入力操作が行われる毎の画面画像データである入力毎画像データのみを取得し、また任意の入力毎画像を表示装置に表示することができるから、所望の入力毎画像をすぐに表示させることができる。このため、インタビューにおいて顧客が着眼点や重点をおいたポイント、試行錯誤の意味等を探求することが容易である。
【００１９】
また、画像間隔時間を入力間隔時間に比例した時間としたときには、インタビュー支援システムの操作者はどの入力をする場合に長時間考えたかを知ることができるから、インタビューにおいて顧客が着眼点や重点をおいたポイント、試行錯誤の意味等を探求することがより容易となる。
また、出力指示画像の目盛の間隔を入力間隔時間に比例した間隔にしたときには、再生時に入力毎画像を容易に選択することができる。また、出力指示画像のスライダの近傍に、スライダの位置に応じた数字を表示したときには、どの入力毎画像を再生しているのかが明確になる。
【図面の簡単な説明】
【００２０】
【図１】図１は施設計画を予定する顧客をインタビュー対象者とするインタビューにおいて使用するインタビュー支援システムを示すブロック図である。
【図２】図２は図１に示したインタビュー支援システムの表示装置に表示される操作画面の一例を示す図である。
【図３】図３は図１に示したインタビュー支援システムの表示装置に表示される結果表示画面選択画面の一例を示す図である。
【図４】図４は図１に示したインタビュー支援システムの表示装置に表示される配置モード表示画面を示す図である。
【図５】図５は本発明の実施の形態に係る記録表示システム、すなわち図１〜図４により説明したインタビュー支援システムの操作状態を記録、表示する記録表示システムを示すブロック図である。
【図６】図６は図５に示した記録表示システムの表示装置の表示画面を示す図である。
【発明を実施するための形態】
【００２１】
まず、施設計画を予定する顧客をインタビュー対象者とするインタビューにおいて使用するインタビュー支援システムを図１により説明する。
インタビュー支援システム１０は、マウス、キーボード、タッチインターフェース等の入力装置１、制御装置２、表示装置３を有する。制御装置２はＣＰＵ、ＲＯＭ、ＲＡＭ等を有するコンピュータによって構成されている。
【００２２】
制御装置２は、設計空間データ保持部２１、物品画像データ保持部２２、物品画像配置部２３、設計空間変更部２４、物品画像変更部２５、結果保存部２６、操作画面データ保持部２７、表示制御部２８を有する。
設計空間データ保持部２１は、施設計画を行う設計空間を表す設計データを記録保持する。物品画像データ保持部２２は、設計空間に配置する物品の画像データである物品画像データを記録保持する。物品画像配置部２３は、入力装置１からの操作入力に従って、表示装置３に表示された設計空間に物品画像を配置する。設計空間変更部２４は、入力装置１からの操作入力に従って、表示装置３に表示された設計空間を構成する構成要素を変更する。ここで、設計空間を構成する構成要素とは、たとえば壁、天井、床、壁に設けられる窓などの開口部、天井に設けられる照明、壁等の材質、壁等の色である。物品画像変更部２５は、入力装置１からの操作入力に従って、物品画像配置部２３によって配置された物品画像を構成する構成要素を変更する。ここで、物品画像を構成する構成要素とは、たとえば机、椅子等の物品画像の形状、材質、色である。結果保存部２６は一連の操作結果を記録保存する。操作画面データ保持部２７は、操作画面（説明後述）の画面データを記録保持する。表示制御部２８は設計空間を示す画像と結果保存部２６に記録保存された一連の操作の結果を示す画像とが合成された結果表示画像の画面を選択するための結果表示画面選択画面と操作画面とを、入力装置１からの操作入力に従って、表示装置３に切り替えて表示する。
【００２３】
図１に示したインタビュー支援システム１０の表示装置３に表示される操作画面の一例を図２により説明する。操作画面には壁（１）〜壁（４）に関しては「色」、「開口部」、「出入口」が表示され、床に関しては「材質」、「色」が表示され、天井に関しては「色」、「照明」が表示されており、壁（１）の「色」等の領域３１〜４６をマウスでクリックすると、壁（１）〜壁（４）の色、開口部、出入口、床の材質、色、天井の色、照明の選択画面に切り替わる。たとえば壁（１）〜壁（４）の色の領域３４、３７、４０をマウスでクリックするもの色の選択画面には、複数の色が表示されている。
【００２４】
結果表示画面選択画面の一例を図３により説明する。結果表示画面選択画面には「配置モード」の領域５１と「パースモード」の領域５２とが設けられている。そして、領域５１をマウスでクリックすると、図４に示すような、結果表示画像を配置モードで表示する配置モード表示画面に切り替わる。ここで、「配置モード」とは、設計空間を二次元表示するモードである。また、配置モード表示画面には、結果表示画像表示領域６１、「全体表示」の領域６２、「拡大」の領域６３、「縮小」の領域６４、「操作画面へ」の領域６５が設けられている。また、結果表示画面選択画面の領域５２をマウスでクリックすると、結果表示画像をパースモードで表示するパースモード表示画面（図示せず）に切り替わる。ここで、「パースモード」とは、設計空間を三次元表示するモードである。また、パースモード表示画面においては、軸測投影図法（アクソノメトリック）、斜投影図法、透視図法等による結果表示画像を選択することができ、また結果表示画像における目線を変更することができる。
【００２５】
このインタビュー支援システム１０においては、入力装置１からの操作入力に従って、表示制御部２８が表示装置３の表示画面を結果表示画像の画面に切り替えた場合には、入力装置１からの操作入力に従って、物品画像配置部２３が表示装置３に表示された設計空間に物品画像を配置し、設計空間変更部２４が表示装置３に表示された設計空間を構成する構成要素を変更し、物品画像変更部２５が物品画像配置部２３によって配置された物品画像を構成する構成要素を変更する。
【００２６】
そして、入力装置１からの操作入力に従って、表示制御部２８が表示装置３の表示画面を操作画面に切り替えた状態で、操作者がたとえば領域３１をマウスでクリックすると、壁（１）の色の選択画面に切り替わる。そして、選択画面の色が表示された領域、たとえば緑色が表示された領域をマウスでクリックすると、緑色が表示された領域の枠部分の色が変化する。この状態で、選択画面の他の色例えば青色が表示された領域をマウスでクリックすると、緑色が表示された領域の枠部分の色が元に戻り、青色が表示された領域の枠部分の色が変化する。このようにして、操作者が最終的に壁（１）の色を決めて、選択画面の「決定」の領域をマウスでクリックすると、結果保存部２６は操作者が決定した壁（１）の色、すなわち選択画面の「決定」の領域がマウスでクリックされたときに選択されていた色を記録する。この場合、表示装置３の画面が壁（１）の色の選択画面から操作画面に切り替わる。つぎに、操作者がたとえば領域３４をマウスでクリックすると、壁（２）の色の選択画面に切り替わり、同様に壁（２）の色を決定することができる。このようにして、壁（１）〜壁（４）の色、開口部、出入口、床の材質、色、天井の色、照明を決定することができる。そして、どの時点においても、操作者が入力装置１により結果表示画面選択画面を選択し、さらに配置モード、パースモードのいずれかを選択すると、設計空間を示す画像とその時点において結果保存部２６に記録保存された一連の操作の結果を示す画像とが合成された結果表示画像が、表示装置３の表示画面に表示されるから、操作者は現在における一連の操作の結果を確認することができる。
【００２７】
すなわち、操作者が入力装置１により結果表示画面選択画面を選択すると、表示装置３に図３に示す結果表示画面選択画面が表示される。この状態で、操作者がたとえば領域５１をマウスでクリックすると、図４に示す配置モード表示画面に切り替わる。この場合、結果表示画像表示領域６１に結果表示画像が配置モードで表示される。そして、操作者が例えば結果表示画像表示領域６１の特定点にカーソルが存在する状態でマウスをクリックした後に、領域６３をマウスでクリックすると、結果表示画像が上記の特定点を中心として拡大される。この状態で、操作者が例えば領域６２をマウスでクリックすると、結果表示画像の全体が結果表示画像表示領域６１に表示される。そして、領域６５をマウスでクリックすると、図２に示す操作画面に切り替わる。
【００２８】
つぎに、本発明の実施の形態に係る記録表示システム、すなわち図１〜図４により説明したインタビュー支援システム１０の操作状態を記録、表示する記録表示システムを図５により説明する。
記録表示システムは、入力装置１０１、表示制御装置１０２、表示装置１０３を有する。表示制御装置１０２はＣＰＵ、ＲＯＭ、ＲＡＭ等を有するコンピュータによって構成されている。
【００２９】
表示制御装置１０２は、画像データ記録制御部１１１、画像表示制御部１１２、記録部１１３を有する。画像データ記録制御部１１１は画像データ取得部１１１１、符号付与部１１１２を有する。画像表示制御部１１２は、出力指示画像データ保持部１１２１、画像データ検索部１１２２、表示装置制御部１１２３を有する。
画像データ記録制御部１１１は、インタビュー支援システム１０において入力操作が行われる毎のインタビュー支援システム１０の表示装置３の表示画面の画面画像データである複数の入力毎画像データを記録部１１３に記録する。画像表示制御部１１２は、入力装置１０１からの操作入力により指定された入力毎画像データによる入力毎画像を表示装置１０３に表示する。
【００３０】
画像データ取得部１１１１は、インタビュー支援システム１０の操作者が入力装置１の入力操作を行う毎のインタビュー支援システム１０の表示装置３の表示画面の画面画像データを入力毎画像データとして取得する。すなわち、画像データ取得部１１１１は、インタビュー支援システム１０の操作者が操作画面および選択画面の所定の領域を入力装置１のマウスでクリックしたとき、そのクリックによって変化した操作画面、選択画面の画面画像データを入力毎画像データとして取得する。たとえば、インタビュー支援システム１０の操作者が操作画面の領域３１をクリックし、その結果壁（１）の色の選択画面に切り替わったとき、画像データ取得部１１１１は、壁（１）の色の選択画面の画面画像データを入力毎画像データとして取得する。符号付与部１１１２は、各入力毎画像データに画像特定符号を付与し、画像特定符号に関連付けて入力毎画像データを記録部１１３に記録する。
【００３１】
出力指示画像データ保持部１１２１は、出力指示画像データすなわち表示装置１０３に表示される出力指示画像（説明後述）のデータを保持する。画像データ検索部１１２２は、出力指示画像を用いて指定された入力毎画像データを検索する。表示装置制御部１１２３は、再生ボタン１３７（説明後述）がマウスでクリックされたとき、画像データ検索部１１２２によって検索された入力毎画像データによる入力毎画像を表示装置１０３に表示する。
【００３２】
図６により表示装置１０３の表示画面について説明する。表示装置１０３の表示画面には入力毎画像が表示される入力毎画像表示領域１３１と出力指示画像が表示される出力指示画像表示領域１３２とが設けられている。出力指示画像表示領域１３２には、バー１３３、目盛１３４、スライダ１３５、再生ボタン１３６、停止ボタン１３７が表示されている。目盛１３４の数は、特定のインタビューについて記録部１１３に記録された入力毎画像データの数と同一である。また、入力装置１０１のマウスの操作によって、スライダ１３５をバー１３３上に移動することができる。そして、画像データ検索部１１２２は、スライダ１３５の位置から画像特定符号を判断し、その画像特定符号に対応する入力毎画像データを検索する。すなわち、画像データ検索部１１２２は、出力指示画像データによる出力指示画像を用いて指定された画像特定符号に応じた入力毎画像データを検索する。
【００３３】
つぎに、図５に示した記録表示システムの記録動作について説明する。インタビュー支援システム１０において、操作者がたとえば領域３１を入力装置１のマウスでクリックすると、壁（１）の色の選択画面に切り替わる。この場合、画像データ取得部１１１１は、壁（１）の色の選択画面の画面画像データを入力毎画像データとして取得する。そして、符号付与部１１１２は、この入力毎画像データにたとえば「Ａ０１」の画像特定符号を付与し、付与した画像特定符号「Ａ０１」に関連付けて入力毎画像データを記録部１１３に記録させる。つぎに、たとえば壁（１）の色の選択画面の色が表示された領域、たとえば緑色が表示された領域をマウスでクリックすると、緑色が表示された領域の枠部分の色が変化する。この場合、画像データ取得部１１１１は、緑色が表示された領域の枠部分の色が変化した選択画面の画面画像データを入力毎画像データとして取得する。そして、符号付与部１１１２は、この入力毎画像データにたとえば「Ａ０２」の画像特定符号を付与し、付与した画像特定符号「Ａ０２」に関連付けて入力毎画像データを記録部１１３に記録させる。この状態で、選択画面の他の色例えば青色が表示された領域をマウスでクリックすると、緑色が表示された領域の枠部分の色が元に戻り、青色が表示された領域の枠部分の色が変化する。この場合、画像データ取得部１１１１は、緑色が表示された領域の枠部分の色が元に戻り、青色が表示された領域の枠部分の色が変化した選択画面の画面画像データを入力毎画像データとして取得する。そして、符号付与部１１１２は、この入力毎画像データにたとえば「Ａ０３」の画像特定符号を付与し、付与した画像特定符号「Ａ０３」に関連付けて入力毎画像データを記録部１１３に記録させる。つぎに、操作者がたとえば選択画面の「決定」の領域をマウスでクリックすると、表示装置３の画面が壁（１）の色の選択画面から操作画面に切り替わる。この場合、画像データ取得部１１１１は、操作画面の画面画像データを入力毎画像データとして取得する。そして、符号付与部１１１２は、この入力毎画像データにたとえば「Ａ０４」の画像特定符号を付与し、付与した画像特定符号「Ａ０４」に関連付けて入力毎画像データを記録部１１３に記録させる。
【００３４】
つぎに、操作者が入力装置１により結果表示画面選択画面を選択すると、表示装置３に結果表示画面選択画面が表示される。この場合、画像データ取得部１１１１は、結果表示画面選択画面の画面画像データを入力毎画像データとして取得する。そして、符号付与部１１１２は、この入力毎画像データにたとえば「Ａ０５」の画像特定符号を付与し、付与した画像特定符号「Ａ０５」に関連付けて入力毎画像データを記録部１１３に記録させる。つぎに、操作者がたとえば領域５１をマウスでクリックすると、配置モード表示画面に切り替わる。この場合、画像データ取得部１１１１は、配置モード表示画面の画面画像データを入力毎画像データとして取得する。そして、符号付与部１１１２は、この入力毎画像データにたとえば「Ａ０６」の画像特定符号を付与し、付与した画像特定符号「Ａ０６」に関連付けて入力毎画像データを記録部１１３に記録させる。このようにして、画像データ記録制御部１１１は、インタビュー支援システム１０の操作者が入力装置１により入力操作を行う毎の画面画像データである複数の入力毎画像データを記録部１１３に記録する。
【００３５】
つぎに、図５に示した記録表示システムの表示動作について説明する。たとえば、スライダ１３５が図６に図示する位置のときには、画像データ検索部１１２２は、スライダ１３５の位置から画像特定符号が「Ａ０４」と判断し、画像特定符号「Ａ０４」が付与された入力毎画像データを検索する。この状態で、再生ボタン１３６が入力装置１０１のマウスでクリックされると、表示装置制御部１１２３は、画像特定符号「Ａ０４」が付与された入力毎画像データによる入力毎画像を表示装置１０３にたとえば１秒間表示し、０．５秒後に画像特定符号「Ａ０５」が付与された入力毎画像データによる入力毎画像を表示装置１０３に１秒間表示し、０．５秒後に画像特定符号「Ａ０６」が付与された入力毎画像データによる入力毎画像を表示装置１０３に１秒間表示し、以降同様にする。したがって、スライダ１３５が一番左の目盛１３４に位置している状態で、再生ボタン１３６がマウスでクリックされると、一番目に記録した入力毎画像（画像特定符号「Ａ０１」が付与された入力毎画像データによる入力毎画像）が表示装置１０３に表示され、その後停止ボタン１３７がマウスでクリックされるまで、記録した順番に入力毎画像が表示装置１０３に表示される。そして、入力毎画像を再生している途中で、停止ボタン１３７をマウスでクリックし、たとえばスライダ１３５を図６に図示する位置に移動して、再生ボタン１３６をマウスでクリックすると、画像特定符号「Ａ０４」が付与された入力毎画像データによる入力毎画像が表示装置１０３に表示され、その後停止ボタン１３７がマウスでクリックされるまで、記録した順番に入力毎画像が表示装置１０３に表示される。したがって、操作者は、スライダ１３５を移動することにより、任意の入力毎画像を表示装置１０３に表示することができる。
【００３６】
このように、図５に示した記録表示システムにおいては、操作者の入力状態を示す入力毎画像データのみを取得するから、記録すべきデータ量が少なくなるので、記録容量を大きくする必要がなく、また操作間違いや学習における試行錯誤などが表示されず、また画面サイズに囚われずに入力動作の最初から最後までを表示することが可能である。また、スライダ１３５を移動することにより、任意の入力毎画像を表示装置１０３に表示することができるから、所望の入力毎画像をすぐに表示させることができるので、インタビューにおいて顧客が着眼点や重点をおいたポイント、試行錯誤の意味等を探求すること容易である。
【００３７】
さらに、図５に示した記録表示システムにおいては、操作者が結果表示画像を確認するときに、配置モード、パースモードのどちらを選択したか、配置モードで結果表示画像を確認するときに、どの部分を拡大して確認したか、パースモードで結果表示画像を確認するときに、どのような目線で確認したかなどを知ることができるから、顧客が着眼点や重点をおいたポイント等を探求することが容易となる。
【００３８】
なお、インタビュー支援システムを実際に使用する場合に、入力操作が行われる毎のインタビュー支援システムの画面画像データである複数の入力毎画像データを記録部１１３に記録し、また操作画面、結果表示画面等の画面切替操作を行ったときの画面画像データを記録部１１３に記録せず、操作画面における色の決定操作、配置モード表示画面における拡大の決定操作等の決定操作を記録部１１３に記録すれば、習熟操作における入力操作、操作迷いに起因する入力操作を示す画面画像データが記録部１１３に記録されず、試行錯誤に起因する入力操作を示す画面画像データが記録部１１３に記録されるから、ヒアリング時間をより有効に活用することができる。
【００３９】
また、上述実施の形態においては、画像データ取得部１１１１は、インタビュー支援システム１０の操作者が操作画面および選択画面の所定の領域を入力装置１のマウスでクリックしたとき、そのクリックによって変化した操作画面、選択画面の画面画像データを入力毎画像データとして取得したが、インタビュー支援システムの入力装置のキーボードによって文字、数字が入力されたときに、エンター（Enter）キーが押された時点で文字、数字が確定するようにし、画像データ記録制御部の画像データ取得部が、表示装置の選択画面に確定した文字、数字が表示されたときに、その選択画面の画面画像データを入力毎画像データとして取得してもよい。
【００４０】
また、上述実施の形態においては、表示装置制御部１１２３は、入力毎画像を表示装置１０３にたとえば１秒間表示し、０．５秒後に次の入力毎画像を表示装置１０３に表示したが、画像データ記録制御部の画像データ取得部が、入力毎画像データを取得した時点から次の入力毎画像データを取得した時点までの入力間隔時間を計測して、その入力間隔時間を記録し、画像表示制御部の表示装置制御部が、入力毎画像の表示が終了してから次の入力毎画像の表示が開始されるまでの画像間隔時間を、入力間隔時間に比例した時間、たとえば入力間隔時間の１０分の１の時間としてもよい。この場合には、インタビュー支援システム１０の操作者はどの入力をする場合に長時間考えたかを知ることができるから、インタビューにおいて顧客が着眼点や重点をおいたポイント、試行錯誤の意味等を探求することがより容易となる。
【００４１】
また、上述実施の形態においては、目盛１３４の間隔を等間隔としたが、画像データ記録制御部の画像データ取得部が、入力毎画像データを取得した時点から次の入力毎画像データを取得した時点までの入力間隔時間を計測して、その入力間隔時間を記録し、画像表示制御部の表示装置制御部が、表示装置の表示画面の出力指示画像表示領域に示される目盛の間隔を、入力間隔時間に比例した間隔にしてもよい。この場合には、再生時に入力毎画像を容易に選択することができる。
【００４２】
また、表示装置制御部１１２３が、スライダ１３５の近傍に、スライダ１３５の位置に応じた数字を表示してもよい。この場合には、どの入力毎画像を再生しているのかが明確になる。また、表示装置１０３の表示画面に、再生速度（等速、２倍速、４倍速、１６倍速等）を選択するための再生速度選択ボタンを設けてもよい。ここで、たとえば等速が上述の如く入力毎画像を表示装置１０３に１秒間表示し、０．５秒後に次の入力毎画像を表示装置１０３に表示するときには、２倍速では、入力毎画像を表示装置１０３に０．５秒間表示し、０．２５秒後に次の入力毎画像を表示装置１０３に表示する。
【００４３】
また、上述実施の形態においては、画像表示制御部１１２は、表示装置１０３に表示され、かつ入力装置１０１からの操作入力に従って移動するスライダ１３５の位置に応じて指定された入力毎画像データによる入力毎画像を表示装置１０３に表示したが、表示装置１０３の表示画面に並べられた複数の領域のうちの１つを入力装置１０１のマウスでクリックすることにより指定された入力毎画像データによる入力毎画像を表示装置１０３に表示してもよい。
また、表示装置としてマルチタッチディスプレイを用いることができる。この場合、数１式（Ｒ：解像度、Ｌ：バー１３３の長さ、ｎ：入力毎画像データの数）により算出されたxが２２［ｄ］以上の場合には、目盛１３４を表示し、上記xが２２［ｄ］未満の場合には、目盛１３４を表示しないようにしてもよい。
【００４４】
【数１】
0005905774.tif 000002
【００４５】
また、上述実施の形態においては、制御装置２と表示制御装置１０２とを別に設けたが、制御装置２と表示制御装置１０２とを同一のコンピュータによって構成してもよい。また、上述実施の形態においては、表示装置３と表示装置１０３とを別に設けたが、表示装置３と表示装置１０３とを共通としてもよい。
【００４６】
本発明の範囲は、図示され記載された例示的な実施の形態に限定されるものではなく、本発明が目的とするものと均等な効果をもたらすすべての実施の形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００４７】
１０…インタビュー支援システム、１０１…入力装置、１０２…表示制御装置、１０３…表示装置、１１１…画像データ記録制御部、１１２…画像表示制御部、１１３…記録部、１１１１…画像データ取得部、１１１２…符号付与部、１１２１…出力指示画像データ保持部、１１２２…画像データ検索部、１１２３…表示装置制御部、１３１…入力毎画像表示領域、１３２…出力指示画像表示領域、１３３…バー、１３４…目盛、１３５…スライダ、１３６…再生ボタン、１３７…停止ボタン
【図１】
0005905774.tif 000003
【図２】
0005905774.tif 000004
【図３】
0005905774.tif 000005
【図４】
0005905774.tif 000006
【図５】
0005905774.tif 000007
【図６】
0005905774.tif 000008